(57)【要約】【課題】網戸羽根の構造を提供する。【解決手段】本考案はナノテク技術を用いた網戸羽根の構造である。該網戸羽根の構造は本体１０と端部１１から構成し、本体１０は扁平で薄い形状のものであり、端部１１は第一端部１１０と第二端部１１１を具有し、該第一端部１１０と第二端部１１１はそれぞれ本体の両端に設置し、その第一端部１１０及び第二端部１１１の部分は各自上方へと下方へ曲がる状態を呈していて、該網戸羽根の本体と端部の表面に防音穴を設置する。【選択図】図１
0003146059.tif 000002
【実用新案登録請求の範囲】
【請求項１】
本体及び端部を含み、
該本体は扁平で薄い形状のものであり、端部は第一端部と第二端部を含み、該第一端部と第二端部はそれぞれ本体の両端に設置し、その第一端部及び第二端部と本体の水平方向に曲がる角度を設けることにより、各自本体との間に高さを形成することを特徴とする網戸羽根の構造。
【請求項２】
前記第一端部の端から第二端部の端までの長さは0.9mm〜1.1mmである請求項１記載の網戸羽根の構造。
【請求項３】
前記第一端部及び第二端部と本体との間の高さは0.09mm〜0.12mmである請求項１記載の網戸羽根の構造。
【請求項４】
前記本体と端部との厚みは0.09mm〜0.12mmである請求項１記載の網戸羽根の構造。
【請求項５】
前記第一端部及び第二端部と本体の水平方向に設けてある曲がる角度は25°〜30°である請求項１記載の網戸羽根の構造。
【請求項６】
前記第一端部及び第二端部は、上方、あるいは下方へ曲がり、異なる角度を形成することが可能な請求項１記載の網戸羽根の構造。
【請求項７】
前記本体の表面に防音穴を設置する請求項１記載の網戸羽根の構造。
【請求項８】
前記端部の表面に防音穴を設置する請求項１記載の網戸羽根の構造。
【請求項９】
前記網戸羽根の本体は一本の線材から二つ以上同じ網戸羽根を連結して固定し、該網戸の羽根がそれぞれ一定の傾斜角度で並んで、各自隣の網戸羽根と連結してある請求項１記載の網戸羽根の構造。
【請求項１０】
前記すべての網戸羽根の第二端部とその隣網戸羽根の第一端部との連結間隔は0.45mm〜0.55mmである請求項９記載の網戸羽根の構造。
【請求項１１】
前記すべての網戸羽根とその隣網戸羽根の本体との連結間隔は0.9mm〜1.1mmである請求項９記載の網戸羽根の構造。
【考案の詳細な説明】
【技術分野】
【０００１】
本考案は、網戸羽根の構造に関し、詳細に言えば、特に精密化且つ多機能の網戸羽根仕組みに関する。
【背景技術】
【０００２】
現有市販の網戸は鉄線から編んだもので、蚊などが室内に入ることを防止するのが主な効用である。但し、該伝統的な網戸の仕組みは型通りであるうえ、機能が単一で、完璧ではない。それが故に、現代科学技術のめざましい進歩に伴って、ナノテク技術を応用することにより、網戸羽根の構造を改良し、精緻化を達成する。そのメリットは防虫だけでなく、同時に現在の建築材料と省エネルギーの潮流に沿い、日常生活に更に多くの利点を持ってきて、生活上の各種の需要を満たす。
【０００３】
上記市販の網戸羽根の構造を詳しく観察すると、問題点が発見できる。主要な問題点を下記の如くまとめる。
1．伝統的な網戸の網構造が型通りで、製造技術上、業界で更に革新することが突破できず、しかも産業に本質の価値を提供することができない。
2．周知の網戸の機能が単一すぎて、使用者の更に多くの需要を満たすことができない。
【特許文献１】登録実用新案第３１１９３７６号公報
【考案の開示】
【考案が解決しようとする課題】
【０００４】
本考案の目的は精緻、且つ多機能の網戸羽根を提供することである。上述の目的を達成するため、本体と端部を具有する網戸羽根の構造を提供する。
【課題を解決するための手段】
【０００５】
上述の目的を解決するため、本考案は網戸羽根の構造を提供するものである。
本体は平らで薄い形状のものであり、端部は第一端部と第二端部を具有し、該第一端部と第二端部はそれぞれ本体の両端に設置し、その第一端部及び第二端部の部分は各自、上方、あるいは下方へ曲がる状態を呈していて、該網戸羽根の本体と端部の表面は皆防音穴を設置するなどで構成する。
そのほか、該網戸羽根はナノテク技術を運用し製造できたものなので、羽根の厚み、長さと幅などの相関寸法は非常に精密的で、上述網戸羽根本体の構造を合わせると同時に、すべての網戸羽根を一定の傾斜角度で連結することによって、精密化に達成する。
【考案の効果】
【０００６】
本考案の構造により、日光が直接室内に射し込むことを防止できる、室内の隠密性が高められる、騒音が減らされる、蚊などの虫類が室内に入ることを防止できる、など沢山の機能を持つため、使用者の需要を満たすことができる。
【考案を実施するための最良の形態】
【０００７】
本考案による網戸羽根の構造と特徴と効果及び目的を明確に示すために実施例を挙げ図に沿って下記の如く詳細な説明を行う。
【０００８】
まず図１を参照して説明する。図１は本考案の立体説明図である。図面に示すように、本考案の網戸羽根1は本体10と端部11から構成する。
【０００９】
本体10は扁平で薄い形状のものであり、端部11は本体10の両端に形成し、上述端部11は第一端部110及び第二端部111から構成し、その中の第一端部110及び第二端部111は本体10の水平方向に各自上方または下方へと曲がる角度θをもち、該曲がる角度θは25°〜30°の範囲で、28°が最適である。もちろん上述第一端部110と第二端部111は上方へ曲がったり、下方へ曲がったりして、異なっている角度を形成することができる。
【００１０】
また、該網戸羽根1はナノテク技術を運用し製造できたものなので、第一端部110の端から第二端部111の端までの長さLは0.9mm〜1.1mmに設計し、1mmが最適で、第一端部110及び第二端部111と本体10との間の高さH1は0.09mm〜0.12mmに設定し、0.1mmが最適で、本体10と端部11の厚みDは0.09mm〜0.12mmに設定し、0.1mmが最適である。
【００１１】
次に、図２を参照して説明する。図２は防音穴を示し、図１上A−Aラインを沿って展開する断面説明図である。
図２に示すように、上述網戸羽根1の本体10及び端部11の表面は防音穴12を具有し、該防音穴12を設置することによって、音が該防音穴12に入ると、本体10と端部11の内縁壁に摩擦作用を行うため、音が次第に消散し、家屋の周囲の騒音を吸収することができ、更に静かで心地良い室内の環境を提供する。その中の防音穴12は設計のニーズに従い、本体10と端部11と貫通することもできる。
【００１２】
さらに、図３と図４を参照して説明する。図３は本考案網戸羽根の連結説明図で、図４は本考案網戸羽根が連結した後、一つの網戸構造になる構造説明図である。
図面で示す通り、本考案の網戸羽根の構造は、本体10が扁平で薄い形状のものなので（上述した通り、厚みDが0.09mm〜0.12mm）、線材2を利用し、ナノテク技術を運用し、二つ以上の同じ網戸羽根1を連結し固定し、網戸仕組み3を構成する。その連結方法はすべての網戸羽根1を一定の傾斜角度で並べることによって、隣のもう一枚の網戸羽根1を連結する。また、網戸羽根1を窓枠30に連結し固定すると網戸仕組み3が構成でき、上述第一端部110は室外向けに、第二端部111は室内向けに設置し、その中連結後のすべての網戸羽根1の第二端部111とその隣の網戸羽根の第一端部110との連結間隔H2は0.45mm〜0.55mmに設計し、0.5mmが最適である。該すべての網戸羽根1とその隣の網戸羽根の本体10との連結間隔H3は0.9mm〜1.1mmの間に設計し、しかも1mmが最適である。
【００１３】
上記の構造からわかるように、本体10と端部11の表面に防音穴12を設置することによって、音が防音穴12に入ると、本体10と端部11の内縁壁に摩擦作用を行うため、音が次第に消散し、家屋の周囲の騒音を吸収することができ、更に静かで心地良い室内の環境が提供できる。なお、網戸羽根1が一定の傾斜角度で隣の羽根と連結し網戸仕組み3を形成するため、室外向けの第一端部110と室内向けの第二端部111の曲がる角度に合わせ、傾斜角度を持っている日光（図３のAで示すよう）が室外から射し込む時、該光線は直接室内に射し込むことができなくなる。光線が水平状態（図３のBで示すよう)である場合、二枚の網戸羽根1のすべての網戸羽根1の第二端部111とその隣の網戸羽根1の第一端部110との連結間隔を0.45mm〜0.55mmに設計する（0.5mmが最適）ため、光線が室内に射し込むことができる。上述の設計によって、日光の差込を減らすことができ、室内まで伝導する熱エネルギーも下げられ、室内で適切の温度を保持でき、室内のエアコンの効能を高め、省エネルギーの効果を達成する。
【００１４】
上述の設計で、第一端部110は曲がった角度を具有するため、屋外側から室内に透視することができなく、室内から外へしか見えないので、プライバシー保護効果が抜群である。また、連結後二枚の網戸羽根1と本体10との連結間隔は0.9mm〜1.1mm（1mmが最適）しかないため、防虫のほか防塵という効果も得られる。その上、本考案はナノテク技術を運用し作ってきたものであるため、網戸羽根1から連結し出来た網戸構造3は精密化で、構造の強度も市販品より強くて、壊れにくい。
【００１５】
上述の如く、本考案網戸羽根を相互に連結してきた網戸構造3は精密化であるため、その構造形式を合わせ、メリットは下記の通りである。
1．本体と端部とも防音穴を設置するため、適時に家屋の周囲の騒音を吸収し、更に静かで心地良い室内の環境を提供する。
2．網戸羽根が一定の傾斜角度で相互に連結し合うため、室外向けの第一端部と室内向けの第二端部の曲がる角度に合わせ、傾斜角度を持っている日光が室外から射し込む時、該光線は直接室内に射し込むことができなくなる。そのため、日光の差込を減らすことができ、室内まで伝導する熱エネルギーも下げられ、室内で適切の温度を保持でき、室内のエアコンの効能を高め、省エネルギーの効果を達成する。
3．屋内側から屋外に透視することができ、屋外から室内に見えないので、プライバシー保護の効果がある。
4．連結した後二枚の網戸羽根間の間隔は非常に精密であるため、虫が室内に入ることを防ぐほか、防塵という効果も抜群である。
5．本考案はナノテク技術を運用し作ってきたものであるため、網戸羽根から連結し出来た網戸の構造は精密化で、構造の強度は市販品より強くて、壊れにくい。
【図面の簡単な説明】
【００１６】
【図１】本考案の立体説明図である。
【図２】本考案の防音穴を説明するため、図1上A−Aラインを沿って展開する断面説明図である。
【図３】本考案網戸羽根の連結説明図である。
【図４】本考案網戸羽根が連結した後、一つの網戸構造になる構造説明図である。
【符号の説明】
【００１７】
1      網戸の羽根
10      本体
11      端部
110      第一端部
111      第二端部
12      防音穴
2        線材
3        網戸構造
30      窓枠
【図１】
0003146059.tif 000003
【図２】
0003146059.tif 000004
【図３】
0003146059.tif 000005
【図４】
0003146059.tif 000006